(57)【特許請求の範囲】
【請求項１】
利用者に対応した画面への移行を指示するための第１の画像と編集画面に移行を指示するための第２の画像を有する開始画面を表示する第１の出力部と、
前記第２の画像が選択されると、前記第１の画像の配置と同じで、かつ利用者に対応した画面を編集するための画面に移行するための画像であり、前記第１の画像に前記第２の画像が付加された第３の画像を有する編集画面を出力する第２の出力部と、を備える情報処理装置。
【請求項２】
請求項１に記載の情報処理装置であって、
前記第２の出力部は、前記編集画面に移行する指示を受けた場合には、前記編集画面に移行する指示を受けた際に表示されていた前記開始画面の前記第１の画像の配置に対応する前記第３の画像の配置である前記編集画面を出力し、
前記第１の出力部は、前記開始画面に移行する移行指示を受けた場合には、前記移行指示を受けた際に表示されていた前記編集画面の前記第３の画像の配置に対応する前記第１の画像の配置である前記開始画面を出力する、ことを特徴とする情報処理装置。
【請求項３】
請求項１に記載の情報処理装置であって、
前記第２の出力部は、前記編集画面に移行する指示を受けた場合には、前記編集画面のうち、最初の順位に属する前記編集画面を出力する、ことを特徴とする情報処理装置。
【請求項４】
請求項１又は３に記載の情報処理装置であって、
前記第１の出力部は、前記編集画面のうち、いずれかの前記編集画面が表示されている間に前記開始画面に移行する移行指示を受けた場合には、前記開始画面のうち、最初の順位に属する前記開始画面を出力する、ことを特徴とする情報処理装置。
【請求項５】
請求項１又は３に記載の情報処理装置であって、
前記第１の出力部は、前記編集画面のうち、いずれかの前記編集画面が表示されている間に前記開始画面に移行する移行指示を受けた場合には、前記開始画面のうち、前記編集画面に移行する指示を受けた前記開始画面を出力する、ことを特徴とする情報処理装置。
【請求項６】
請求項１、４及び５のいずれか一項に記載の情報処理装置であって、
前記第２の出力部は、前記編集画面に移行する指示を受けた場合には、前記編集画面のうち、最後の順位に属する前記編集画面を出力する、ことを特徴とする情報処理装置。
【請求項７】
請求項１乃至６のいずれか一項に記載の情報処理装置であって、
前記第１の出力部は、前記編集画面のうち、いずれかの前記編集画面が表示されている間に前記開始画面に移行する移行指示を受けた場合であって、前回に前記開始画面が表示されてから前記指示を受けるまでの間に利用者の追加があったときには、前記開始画面のうち、前記追加された利用者の前記第１の画像が配置された前記開始画面を出力する、ことを特徴とする情報処理装置。
【請求項８】
請求項１乃至７のいずれか一項に記載の情報処理装置であって、
前記編集画面のうち、いずれかの前記編集画面が表示されている間に前記開始画面に移行する移行指示を受けた場合に、前記第１の出力部がいずれかの前記開始画面の出力をする前に、すべての利用者の前記第１の画像又は前記第３の画像を順次出力する第３の出力部を更に備えることを特徴とする情報処理装置。
【請求項９】
請求項１乃至８のいずれか一項に記載の情報処理装置であって、
前記第２の出力部は、利用者の編集の処理の終了後に前記編集画面を出力する場合には、前記編集の処理が行われた前記利用者に係る前記第３の画像の一部を、前記第３の画像よりも小さい編集済みであることを示す画像に置き換えて、前記編集画面を出力する、ことを特徴とする情報処理装置。
【請求項１０】
利用者に対応した画面への移行を指示するための第１の画像と編集画面に移行を指示するための第２の画像を有する開始画面を表示する第１の出力手順と、
前記第２の画像が選択されると、前記第１の画像の配置と同じで、かつ利用者に対応した画面を編集するための画面に移行するための画像であり、前記第１の画像に前記第２の画像が付加された第３の画像を有する編集画面を出力する第２の出力手順と、を処理装置に実行させるための情報処理プログラム。
【発明の詳細な説明】
【技術分野】
【０００１】
本発明は、情報処理装置及び情報処理プログラムに関する。
【背景技術】
【０００２】
多くの環境で利用されているパーソナルコンピュータ、サーバ装置、並びにプリンタ及び複写機等が一体となった複合機等の情報処理装置においては、アカウントごとにＩＤ（Identification）等を登録し、登録されたアカウントでログインすることにより、カスタマイズされた画面を表示したり、登録されたアカウントごとに利用の履歴を記録したり、アカウント固有の情報を利用して処理を行ったりすることが可能となっている。
【発明の概要】
【発明が解決しようとする課題】
【０００３】
このようにアカウントごとに機能の提供の仕方を変化させる情報処理装置における、アカウントの追加や削除等を含むアカウントの管理及び編集は、利用者又はシステム管理者が、アカウントの管理編集を行うための編集画面を表示させて行うことが一般的である。
【０００４】
しかしながら、このような編集画面を表示させるための操作は分かりづらく、また、編集画面を表示させることができた場合であってもその後の編集操作が複雑である場合が多い。
【０００５】
本発明は、容易にアカウントの管理編集を行える情報処理装置及び情報処理プログラムを提供することを目的とする。
【課題を解決するための手段】
【０００６】
請求項１に係る発明は、利用者に対応した画面への移行を指示するための第１の画像と編集画面に移行を指示するための第２の画像を有する開始画面を表示する第１の出力部と、前記第２の画像が選択されると、第１の画像の配置と同じで、かつ利用者に対応した画面を編集するための画面に移行するための第３の画像を有する編集画面を出力する第２の出力部と、を備える情報処理装置である。ここで、開始画面が編集画面に遷移する際の編集画面が表示される前に、アカウントを認証する画面等が表示されることとしてもよい。
【０００７】
請求項２に係る発明は、請求項１に記載の情報処理装置であって、前記第３の画像は、前記第１の画像に前記第２の画像が付加された画像である、ことを特徴とする情報処理装置である。
【０００８】
請求項３に係る発明は、請求項１又は２に記載の情報処理装置であって、前記第２の出力部は、前記編集画面に移行する指示を受けた場合には、前記編集画面に移行する指示を受けた際に表示されていた前記開始画面の前記第１の画像の配置に対応する前記第３の画像の配置である前記編集画面を出力し、前記第１の出力部は、前記開始画面に移行する移行指示を受けた場合には、前記移行指示を受けた際に表示されていた前記編集画面の前記第３の画像の配置に対応する前記第１の画像の配置である前記開始画面を出力する、ことを特徴とする情報処理装置である。
【０００９】
請求項４に係る発明は、請求項１又は２に記載の情報処理装置であって、前記第２の出力部は、前記編集画面に移行する指示を受けた場合には、前記編集画面のうち、最初の順位に属する前記編集画面を出力する、ことを特徴とする情報処理装置である。
【００１０】
請求項５に係る発明は、請求項１、２及び４のいずれか一項に記載の情報処理装置であって、前記第１の出力部は、前記編集画面のうち、いずれかの前記編集画面が表示されている間に前記開始画面に移行する移行指示を受けた場合には、前記開始画面のうち、最初の順位に属する前記開始画面を出力する、ことを特徴とする情報処理装置である。
【００１１】
請求項６に係る発明は、請求項１、２及び４のいずれか一項に記載の情報処理装置であって、前記第１の出力部は、前記編集画面のうち、いずれかの前記編集画面が表示されている間に前記開始画面に移行する移行指示を受けた場合には、前記開始画面のうち、前記編集画面に移行する指示を受けた前記開始画面を出力する、ことを特徴とする情報処理装置である。
【００１２】
請求項７に係る発明は、請求項１、２、５及び６のいずれか一項に記載の情報処理装置であって、前記第２の出力部は、前記編集画面に移行する指示を受けた場合には、前記編集画面のうち、最後の順位に属する前記編集画面を出力する、ことを特徴とする情報処理装置である。
【００１３】
請求項８に係る発明は、請求項１乃至７のいずれか一項に記載の情報処理装置であって、前記第１の出力部は、前記編集画面のうち、いずれかの前記編集画面が表示されている間に前記開始画面に移行する移行指示を受けた場合であって、前回に前記開始画面が表示されてから前記指示を受けるまでの間に利用者の追加があったときには、前記開始画面のうち、前記追加された利用者の前記第１の画像が配置された前記開始画面を出力する、ことを特徴とする情報処理装置である。
【００１４】
請求項９に係る発明は、請求項１乃至８のいずれか一項に記載の情報処理装置であって、前記編集画面のうち、いずれかの前記編集画面が表示されている間に前記開始画面に移行する移行指示を受けた場合に、前記第１の出力部がいずれかの前記開始画面の出力をする前に、すべての利用者の前記第１の画像又は前記第３の画像を順次出力する第３の出力部を更に備えることを特徴とする情報処理装置である。
【００１５】
請求項１０に係る発明は、請求項１乃至９のいずれか一項に記載の情報処理装置であって、前記第２の出力部は、利用者の編集の処理の終了後に前記編集画面を出力する場合には、前記編集の処理が行われた前記利用者に係る前記第３の画像の一部を、前記第３の画像よりも小さい編集済みであることを示す画像に置き換えて、前記編集画面を出力する、ことを特徴とする情報処理装置である。
【００１６】
請求項１１に係る発明は、請求項１乃至１０のいずれか一項に記載の情報処理装置であって、前記第３の画像は、前記第１の画像と同じ画像であり、前記編集画面には、前記第３の画像が配置される位置とは異なる位置に前記編集画面であることを示す画像が配置されている、ことを特徴とする情報処理装置である。
【００１７】
請求項１２に係る発明は、利用者に対応した画面への移行を指示するための第１の画像と編集画面に移行を指示するための第２の画像を有する開始画面を表示する第１の出力手順と、前記第２の画像が選択されると、第１の画像の配置と同じで、かつ利用者に対応した画面を編集するための画面に移行するための第３の画像を有する編集画面を出力する第２の出力手順と、を処理装置に実行させるための情報処理プログラムである。
【発明の効果】
【００１８】
請求項１及び１２に記載の発明によれば、利用者に複雑な操作をさせることなく、視覚的に分かりやすいレイアウトの編集画面を提供できる。
【００１９】
請求項２及び１１に係る発明によれば、利用者に、管理編集用の画面であることを視覚的に分かりやすく示すことができる。
【００２０】
請求項３に記載の発明によれば、利用者に複雑な操作をさせることなく、表示された開始画面のレイアウトの編集画面を提供できる。
【００２１】
請求項４に記載の発明によれば、利用者に、編集画面に遷移したことを容易に認識させることができる。
【００２２】
請求項５に係る発明によれば、利用者に、開始画面に遷移したことを容易に認識させることができる。
【００２３】
請求項６に係る発明によれば、利用者は、開始画面に遷移したことを容易に認識し、遷移先の開始画面において元の作業を引き続き行うことができる。
【００２４】
請求項７に係る発明によれば、利用者は、遷移した画面において、アカウントが追加される画面においてアカウントの追加作業を行い、追加されたアカウントについての編集を画面の遷移なく行うことができる。
【００２５】
請求項８に係る発明によれば、利用者は、追加されたアカウントがどの画面に追加されたのか容易に認識することができる。
【００２６】
請求項９に係る発明によれば、利用者は全てのアカウントについて確認することができる。
【００２７】
請求項１０に係る発明によれば、利用者に編集したアカウントについて確認させ、重複した編集や編集漏れを防ぐことができる。
【図面の簡単な説明】
【００２８】
【図１】本発明の一実施形態に係る情報処理システムを示す図である。
【図２】図１の情報処理装置の機能構成について示すブロック図である。
【図３】図１の情報処理装置が提供する情報システムにおける基本的な画面遷移について説明するための図である。
【図４】アカウントの編集の画面遷移について示す図である。
【図５】、編集画面におけるアカウントの識別画像の配置の変更処理について示す画面遷移図である。
【図６】編集画面におけるアカウントの削除処理について示す画面遷移図である。
【図７】編集画面におけるアカウントの追加処理について示す画面遷移図である。
【図８】開始画面から編集画面への遷移についての一形態について示す図である。
【図９】編集画面から開始画面への遷移についての一形態について示す図である。
【図１０】開始画面から編集画面への遷移についての一形態について示す図である。
【図１１】編集画面から開始画面への遷移についての一形態について示す図である。
【図１２】開始画面から編集画面を経て開始画面に戻る遷移についての一形態について示す図である。
【図１３】開始画面から編集画面への遷移についての一形態について示す図である。
【図１４】編集画面から開始画面への遷移についての一形態について示す図である。
【図１５】編集画面から開始画面への遷移についての一形態について示す図である。
【発明を実施するための形態】
【００２９】
図１には、本発明の一実施形態に係る情報処理システム１００が示されている。この図に示されるように情報処理システム１００は、ＣＰＵ（Central Processing Unit）、ＲＡＭ（Random Access Memory）及び磁気ディスク装置等により構成され、デジタル情報の処理を行う情報処理装置２００と、情報処理装置２００から出力される画像情報を表示する液晶表示装置等の表示装置１１０と、表示装置１１０の表示面上に重ね合わせられた透明基板及び透明基板上に形成された透明電極からなる配線等からなり、利用者の指等がタッチされることにより、タッチされた座標を検出して情報処理装置２００に出力するタッチパネル１２０と、から構成されている。
【００３０】
ここで表示装置は、液晶表示装置等としたが、有機ＥＬ（Electro-Luminescence）表示装置その他、画像を表示する表示装置であればよい。また、入力装置をタッチパネルとしたが、マウス、キーボード等その他の入力装置であってもよい。また、情報処理装置２００は、直接表示装置１１０及びタッチパネル１２０に接続するように構成されているが、インターネット等のネットワーク上のサーバ装置等として機能する情報処理装置２００であってもよく、この場合には、表示装置１１０に表示される画像情報や入力された情報等は、不図示の情報通信端末を介して送受信されることとしてもよい。この場合に、情報処理装置２００はネットワークに接続された複数の装置から構成されることとしてもよい。
【００３１】
ここで情報処理システム１００は、複数の利用者がそれぞれ自分のアカウントを使用して情報システムを利用するための装置であり、例えば、オフィス内に設置されるプリンタ及びコピー機能を有する複合機、従業員の管理システム、顧客又は会員の管理システム等が挙げられる。
【００３２】
図２は、情報処理装置２００の機能構成について示すブロック図である。この図に示されるように、情報処理装置２００は、表示装置１１０の画面に表示させる信号である画面信号を出力する画面信号出力部２１０と、タッチパネル１２０で入力された座標が入力され、画面信号出力部２１０において表示している画面及び入力された座標に基づいて情報の処理を行い、次に表示装置１１０に表示させる画面の出力指示を行う入力処理部２２０と、を備えている。
【００３３】
また、画面信号出力部２１０は、アカウントごとの識別画像（第１の画像）が配置され、アカウントごとの処理の開始指示又はアカウントの管理編集の処理の開始指示の入力待ちを行う開始画面を表示させる信号を出力する第１の出力部２１１と、開始画面を表示させている間に、アカウントの管理編集の処理の開始指示を受けた場合、アカウントごとの管理編集用識別画像（第３の画像）の配置が、開始画面における識別画像の配置である編集画面を表示させる信号を出力する第２の出力部２１２と、編集画面において開始画面に移動する移動指示を受けた場合に、すべてのアカウントの識別画像又は管理編集用識別画像を順次表示させる信号を出力する第３の出力部２１３と、を有している。なお、本実施形態においては、第３の出力部２１３を有することとしているが、第３の出力部２１３を有しない構成であってもよい。ここで、アカウントは、利用者が情報処理装置２００の提供するサービスにログインするための権利であり、ログインする権利を持つユーザごとの識別画像が配置され、表示される。
【００３４】
なお、これらの機能は、情報処理装置２００の磁気ディスク記憶装置等の記憶装置に保存されたプログラムをＣＰＵが実行することにより実現される。ここで、プログラムはＣＤ−ＲＯＭ等その他の記憶媒体に格納して提供されてもよい。
【００３５】
図３は、本実施形態における情報処理装置２００が提供する情報システムにおける基本的な画面遷移について説明するための図である。この図に示されるように、まず開始画面（Ｓ１１１）において、本情報システムのアカウントを持つ利用者ごとに識別画像が表示される。編集画面への移行を指示するための歯車の画像（第２の画像）が示されている。なお、この開始画面においては、「Ｇｕｅｓｔ」、「Ａ」及び「Ｂ」の３つのアカウント名が示されており、それぞれアカウント名がそれぞれの識別画像に付加されて表示されている。
【００３６】
ここで、タッチパネル１２０の「Ｇｕｅｓｔ」を含んだ識別画像を利用者が指等によりタッチした場合には、座標情報が情報処理装置２００に送信され、入力処理部２２０において処理された後、画面信号出力部２１０は、「Ｇｕｅｓｔ」に係る利用者に対応した画面に移行する（Ｓ１１２）。ここで、利用者に対応した画面とは、当該利用者がよく利用する機能にアクセスしやすく設定される等により、利用者毎に表示される内容を異ならせることができる画面を意味する。例えば、情報処理システム１００がプリンタ及びコピー機能を有する複合機の場合には、ＦＡＸやコピーなどのサービスを示す画像であるサービスタイルが複数配置された画面であり、この画面は利用者毎にサービスタイルの配置や最初の画面に表示されるサービスタイルを変更することができる。利用者は所望のサービスに係るサービスタイルを選択することにより、各サービスの起動画面に移動することができる。また、この画面において、サービスタイルの追加、削除及び配置の変更を行うことができる。また、開始画面において、編集を意味する歯車画像上をタッチすると、画面信号出力部２１０の第２の出力部２１２は、編集画面を出力する（Ｓ１１３）。編集画面は、管理編集用識別画像が開始画面の識別画像と同じ配置で並んでいる画面を有している。ここで、同じ配置とは、開始画面から編集画面に移行しても、開始画面の識別画像と管理編集用識別画像とで大きさが変わらず、利用者のアカウントの識別画像ごとの配置順も変わらないことを意味している。本実施形態においては、管理編集用識別画像は、開始画面の識別画像と同じ画像である識別画像の右上に、編集中であることを示す歯車画像（第２の画像）を付加したものとなっている。ここで、歯車画像の付加には、大きさを変更して付加することも含まれる。これにより、各利用者は管理編集用の画面に移行したことが視覚的に分かりやすく把握することができる。したがって、より平易な操作により、表示された開始画面のレイアウトのままの編集画面を表示させるため、利用者は管理編集用識別画像の配置を容易に把握し、容易にアカウント管理編集を行うことができる。なお、本実施形態においては、各識別画像に歯車画像のような管理編集中である旨を示す画像を付すこととしたが、これに限られず、編集画面中のいずれかの位置に管理編集中であることを示す別の画像を配置する等他の表示により、編集画面中であることを示すこととしてもよい。
【００３７】
この編集画面において、「Ｇｕｅｓｔ」の管理編集用識別画像がタッチされた場合には、画面信号出力部２１０は、「Ｇｕｅｓｔ」アカウントの管理編集を行う画面を出力する（Ｓ１１４）。この各アカウントにおける管理編集作業では、利用者に対応した画面の設定を行うことができる。例えば、識別画像の変更やパスワードの設定、表示されるアカウント名の変更等の編集作業が含まれる。一方、編集画面において、「Ｄｏｎｅ」（完了）の画像をタッチ（選択）した場合には、再び開始画面に戻ることとなる（Ｓ１１５）。
【００３８】
なお、本実施形態においては、特に示していないが、開始画面から編集画面に移行する際に、利用者であることを認証する処理を行ってもよい。この場合には、更に、画面信号出力部２１０は、パスワード等の入力を要求する画面を出力することができる。
【００３９】
次に本実施形態の編集画面から行う処理について説明する。図４は、アカウントの編集の画面遷移について示す図である。まず編集画面（Ｓ１２１）において「Ｂ」アカウントの管理編集用識別画像をタッチすると、「Ｂ」アカウントの編集画面が表示される（Ｓ１２２）。ここで例えば識別画像の変更等の編集を行った後（Ｓ１２３）、「Ｄｏｎｅ」をタッチすると、再び編集画面が出力される（Ｓ１２４）。ここで「Ｂ」アカウントの管理編集用識別画像の左上には、管理編集用識別画像よりも小さい編集済みであることを示す画像が付加されている。これにより、編集したアカウントについて確認でき、重複した編集や編集漏れを防ぐことができる。
【００４０】
図５は、編集画面におけるアカウントの識別画像の配置の変更処理について示す画面遷移図である。この図に示されるように、まず編集画面（Ｓ１３１）において、アカウント「Ｂ」の管理編集用識別画像をドラッグし移動させる（Ｓ１３２）。所望の位置に来たときにドロップすることにより、配置を変更することができる（Ｓ１３３）。
【００４１】
図６は、編集画面におけるアカウントの削除処理について示す画面遷移図である。この図に示されるように、まず編集画面（Ｓ１４１）において、図５と同様に、アカウント「Ｂ」の管理編集用識別画像をドラッグし移動させると、画面右下にゴミ箱の画像が表示される（Ｓ１４２）。この際にゴミ箱の画像の位置でドロップすることにより、ドロップされた管理編集用識別画像に係るアカウントが削除される（Ｓ１４３）。
【００４２】
図７は、編集画面におけるアカウントの追加処理について示す画面遷移図である。この図に示されるように、まず編集画面（Ｓ１３１）において、「Ａｄｄ  Ｕｓｅｒ」にタッチし、アカウントの編集と同様に、アカウントの表示名及びパスワードの入力、識別画像の選択等を行い必要な内容を入力する（Ｓ１５２）。その後「Ｄｏｎｅ」をタッチすることにより、アカウントの追加が完了する（Ｓ１５３）。
【００４３】
図８〜図１５は、開始画面にアカウントの識別画像が４つの画面に渡って配置される例における、開始画面と編集画面との間の切替えについて説明するための図である。これらの図における各画面には１／４、２／４、３／４及び４／４までのページ番号が振られているが、これらの画面は、開始画面においてはそれぞれ第１開始画面１１、第２開始画面１２、第３開始画面１３及び第４開始画面１４として参照し、編集画面においてはそれぞれ第１編集画面５１、第２編集画面５２、第３編集画面５３及び第４編集画面５４として参照することとする。なお、本実施形態においては一画面に３つの識別画像が配置され、４つの画面に渡って識別画像が配置される例について示しているが、一画面に配置される識別画像の数、及び識別画像が配置される画面の数は、適宜、設定や登録されたアカウントの数等により変更されてもよい。
【００４４】
図８は、開始画面から編集画面への遷移についての一形態について示す図である。この図に示されるように、第２開始画面１２において編集を意味する歯車画像がタッチ（選択）され、アカウント管理編集の処理の開始が指示されると、第２の出力部２１２は、第２開始画面１２の識別画像の配置に対応する管理編集用識別画像の配置である第２編集画面５２を表示させる信号を出力する。つまり開始画面から編集画面に移行した場合であっても、移行する際の開始画面に表示された識別画像と同じアカウントの管理編集用識別画像が配置された編集画面が表示される。上述したように、開始画面から編集画面に移行しても、開始画面の識別画像と管理編集用識別画像とで大きさが変わらず、利用者のアカウントの識別画像ごとの配置順も変わらない。また管理編集用識別画像には、編集中であることを示す歯車画像が付されている。したがって、より平易な操作により、表示された開始画面のレイアウトのままの編集画面を表示させるため、利用者は管理編集用識別画像の配置を容易に把握し、容易にアカウント管理編集を行うことができる。
【００４５】
図９は、編集画面から開始画面への遷移についての一形態について示す図である。この図に示されるように、第２編集画面５２において開始画面に移動する指示である「Ｄｏｎｅ」が選択されると、第１の出力部２１１は、第２編集画面５２の管理編集用識別画像の配置に対応する識別画像の配置である第２開始画面１２を表示させる信号を出力する。つまり編集画面から開始画面に移行した場合であっても、移行する際の編集画面に表示された管理編集用識別画像と同じアカウントの識別画像が配置された開始画面が表示される。つまり、編集画面から開始画面に移行しても、管理編集用識別画像と開始画面の識別画像とで大きさが変わらず、利用者のアカウントの識別画像ごとの配置順も変わらない。また開始画面で表示される識別画像は、管理編集用識別画像と異なり、編集中であることを示す歯車画像が取り除かれている。したがって、より平易な操作により、表示された編集画面のレイアウトのままの開始画面を表示させるため、利用者は、識別画像の配置を容易に把握し、開始画面からの作業を行うことができる。
【００４６】
図１０は、開始画面から編集画面への遷移についての一形態について示す図である。この図に示されるように、第２開始画面１２において歯車画像が選択されることにより、アカウント管理編集の処理の開始が指示されると、第２の出力部２１２は、４つの画面のうちの最初の順位に属する第１編集画面５１を表示させる信号を出力する。つまり開始画面から編集画面に移行した場合には、複数の編集画面のうち、最初の編集画面が表示される。したがって、利用者は、編集画面に遷移したことを容易に認識することができる。
【００４７】
図１１は、編集画面から開始画面への遷移についての一形態について示す図である。この図に示されるように、第２編集画面５２において開始画面に移動する指示である「Ｄｏｎｅ」が選択されると、第１の出力部２１１は、４つの画面のうちの最初の順位に属する第１開始画面１１を表示させる信号を出力する。つまり編集画面から開始画面に移行した場合には、複数の開示画面のうち、最初の開始画面が表示される。したがって、利用者は、開始画面に遷移したことを容易に認識することができる。
【００４８】
図１２は、開始画面から編集画面を経て開始画面に戻る遷移についての一形態について示す図である。この図に示されるように、第２開始画面１２において歯車画像が選択されることにより、アカウント管理編集の処理の開始が指示され、編集画面のいずれかでアカウントの編集作業を行い、最終的に第１編集画面５１において、開始画面に移動する指示である「Ｄｏｎｅ」が選択されたとする。この場合に、第１の出力部２１１は、アカウントの管理編集の処理の開始指示を受けた開始画面である第２開始画面１２を表示させる信号を出力する。つまり編集画面から開始画面に移行した場合には、複数の開示画面のうち、編集画面に移行を指示した際に表示されていた開始画面が表示される。したがって、利用者は、開始画面に遷移したことを容易に認識し、遷移先の開始画面において元の作業を引き続き行うことができる。
【００４９】
図１３は、開始画面から編集画面への遷移についての一形態について示す図である。この図に示されるように、第２開始画面１２において歯車画像が選択されることにより、アカウント管理編集の処理の開始が指示されると、第２の出力部２１２は、４つの画面のうちの最後の順位に属する第４編集画面５４を表示させる信号を出力する。つまり開始画面から編集画面に移行した場合には、複数の編集画面のうち、最後の編集画面が表示される。その後、「Ａｄｄ  Ｕｓｅｒ」が選択されることにより、アカウントが追加された場合には、新しいアカウントの管理編集用識別画像は、第４編集画面５４に追加される。したがって、利用者は、編集画面に遷移したことを容易に認識し、画面遷移なくアカウントが追加される画面においてアカウントの追加作業を行い、画面遷移なく追加されたアカウントについての編集を行うことができる。
【００５０】
図１４は、編集画面から開始画面への遷移についての一形態について示す図である。この図に示されるように、第２編集画面５２において開始画面に移動する指示である「Ｄｏｎｅ」が選択されると、第１の出力部２１１は、４つの画面のうち、新しく追加されたアカウントの識別画像が配置された開始画面である第４開始画面１４を表示させる信号を出力する。つまり編集画面から開始画面に移行した場合には、複数の開示画面のうち、追加されたアカウントの識別画像が表示される開始画面が表示される。したがって、利用者は、追加されたアカウントがどの画面に追加されたのか容易に認識することができる。なお、本形態においては、４つの開始画面のうちの４番目である最後の開始画面に新しいアカウントが追加されたこととしたが、他の開始画面に追加されていてもよく、この場合には追加されたアカウントが表示される開始画面が表示される。
【００５１】
図１５は、編集画面から開始画面への遷移についての一形態について示す図である。この図に示されるように、第３編集画面５３において開始画面に移動する指示である「Ｄｏｎｅ」が選択されると、第１の出力部２１１が画面の出力を行う前に、第３の出力部２１３が、全てのアカウントの管理編集用識別画像を順次表示させる信号を出力し、その後、第１の出力部２１１が、第３編集画面５３の管理編集用識別画像の配置に対応する識別画像の配置である第３開始画面１３を表示させる信号を出力する。つまり編集画面から開始画面に移行する際の開始画面が表示される前に、すべてのアカウントの画像が表示される。したがって、利用者は、編集画面から開始画面への遷移する際に、全てのアカウントについて確認することができる。
【００５２】
ここで、第３の出力部２１３が表示する画像は、第１編集画面５１から第４編集画面５４までを順次出力するものであっても、管理編集用識別画像が順次流れるように表示されるものであってもよく、登録された管理編集用識別画像が一覧できるように出力されるものであればよい。また、本形態では、第３の出力部２１３が表示する画像を管理編集用識別画像としたが、開始画面に表示される識別画像でもよく、更にすべてのアカウントの画像としたが、あるグループに含まれるアカウントのみである等により、一部のアカウントの画像であってもよい。また、第１の出力部２１１が出力する画面を、図９の例と同様に、移行する際の編集画面に表示された管理編集用識別画像と同じアカウントの識別画像が配置された開始画面としたが、図１１及び１４等の他の例により、他の開始画面が表示されることとしてもよい。
【００５３】
以上説明したように、本実施形態によれば、利用者は、開始画面から、容易に画面レイアウトを把握できるアカウント管理編集を行う画面に移動し、再び容易に開始画面に戻る。したがって、容易にアカウント管理編集を行うことができる。
【符号の説明】
【００５４】
１１〜１４  第１開始画面〜第４開始画面、５１〜５４  第１編集画面〜第４編集画面、１００  情報処理システム、１１０  表示装置、１２０  タッチパネル、２００  情報処理装置、２１０  画面信号出力部、２１１  第１の出力部、２１２  第２の出力部、２１３  第３の出力部、２２０  入力処理部。
【要約】
【課題】容易にアカウント管理編集を行える情報処理装置及び情報処理プログラムを提供する。
【解決手段】情報処理装置（２００）は、アカウント毎の第１の画像が配置され、アカウント毎の処理又は編集画面に移行する指示の入力待ちを行う開始画面のうちいずれかの開始画面を出力する第１の出力部（２１１）と、開始画面を表示する信号が出力されている間に、編集画面に移行する指示を受けた場合に、アカウント毎の第３の画像の配置が、開始画面における第１の画像の配置であり、アカウントの管理編集の処理の選択指示の入力待ちを行う編集画面のうちのいずれかを出力する第２の出力部（２１２）と、を備える。
【選択図】図２【図１】
0005423922.tif 000002
【図２】
0005423922.tif 000003
【図３】
0005423922.tif 000004
【図４】
0005423922.tif 000005
【図５】
0005423922.tif 000006
【図６】
0005423922.tif 000007
【図７】
0005423922.tif 000008
【図８】
0005423922.tif 000009
【図９】
0005423922.tif 000010
【図１０】
0005423922.tif 000011
【図１１】
0005423922.tif 000012
【図１２】
0005423922.tif 000013
【図１３】
0005423922.tif 000014
【図１４】
0005423922.tif 000015
【図１５】
0005423922.tif 000016